(57)【要約】  光配線架は、上下方向に沿って並んでいる複数の成端ユニットが載置される架部と、背板を有し、複数の成端ユニットのそれぞれに接続される複数の光配線束における余長部分が収容される光配線収容部と、光配線収容部内において上下方向に沿って並ぶように背板に取り付けられ、光配線収容部における光配線束の位置を区分けする複数の第１区分け体と、を備える。第１区分け体は、対応する光配線束を保持する保持部を有し、上下方向において下方に設けられる第１区分け体の保持部ほど、背板から離れるように位置している。
2018101218.tif 000002
【特許請求の範囲】
【請求項１】
上下方向に沿って並んでいる複数の成端ユニットが載置される架部と、
背板を有し、前記複数の成端ユニットのそれぞれに接続される複数の光配線束における余長部分が収容される光配線収容部と、
前記光配線収容部内において上下方向に沿って並ぶように前記背板に取り付けられ、前記光配線収容部における前記光配線束の位置を区分けする複数の第１区分け体と、
を備え、
前記第１区分け体は、対応する前記光配線束を保持する保持部を有し、
上下方向において下方に設けられる前記第１区分け体の前記保持部ほど、前記背板から離れるように位置している、
光配線架。
【請求項２】
前記保持部は、互いに離間する一対の区分け棒を有している、請求項１に記載の光配線架。
【請求項３】
前記光配線収容部を挟んで前記架部の反対側に位置する側板と、
前記光配線収容部内において上下方向に沿って並ぶように前記側板に取り付けられ、前記光配線収容部における前記光配線束の位置を区分けする複数の第２区分け体と、
をさらに備え、
前記第２区分け体は、前記第１区分け体に対して対向及び離間して設けられる、請求項１又は２に記載の光配線架。
【請求項４】
前記光配線束を前記光配線収容部にガイドするように前記背板に取り付けられており、前記成端ユニットに対応するように上下方向に沿って並んでいる複数の光配線ガイドをさらに備え、
前記光配線ガイドにおける前記光配線収容部側の先端は、対応する前記第１区分け体の前記保持部に連続している、請求項１〜３のいずれか一項に記載の光配線架。
【請求項５】
前記光配線ガイドは、その内部に収容される前記光配線束の動きを規制する規制部を有する、請求項４に記載の光配線架。
【請求項６】
前記光配線ガイドは、前記規制部を少なくとも２つ有する、請求項５に記載の光配線架。
【請求項７】
前記光配線ガイドは、前記光配線束が置かれる底部を有し、
前記底部は、上方に向かって湾曲しており、
前記底部の曲率半径は、前記光配線束内の光配線の許容曲げ半径よりも大きい、請求項４〜６のいずれか一項に記載の光配線架。
【請求項８】
前記光配線収容部の上端付近に設けられる区分け部材をさらに備え、
前記区分け部材は、互いに離間して並ぶ複数の板状破片を有する、請求項１〜７のいずれか一項に記載の光配線架。
【請求項９】
前記保持部のそれぞれは、上下方向において互いに重ならない、請求項１〜５のいずれか一項に記載の光配線架。
【発明の詳細な説明】
【技術分野】
【０００１】
本発明は、光配線架に関する。
【背景技術】
【０００２】
例えば下記特許文献１には、アダプタが上下方向に沿って複数配設された光配線盤が提案されている。この光配線盤では、アダプタに接続される光ファイバコードが、挟持部材にて保持され、下方誘導湾曲部に沿って垂れ下がった後に上昇して懸架手段に懸架される。これにより、接続側光ファイバコードにおけるＵ字状の余長配線部が、下方誘導湾曲部と懸架手段との間にて安定して保持することが図られている。
【先行技術文献】
【特許文献】
【０００３】
【特許文献１】特開２０１２−５３０９８号公報
【発明の概要】
【０００４】
本発明の一側面に係る光配線架は、上下方向に沿って並んでいる複数の成端ユニットが載置される架部と、背板を有し、複数の成端ユニットのそれぞれに接続される複数の光配線束における余長部分が収容される光配線収容部と、光配線収容部内において上下方向に沿って並ぶように背板に取り付けられ、光配線収容部における光配線束の位置を区分けする複数の第１区分け体と、を備え、第１区分け体は、対応する光配線束を保持する保持部を有し、上下方向において下方に設けられる第１区分け体の保持部ほど、背板から離れるように位置している。
【図面の簡単な説明】
【０００５】
【図１】図１は、実施形態に係る光配線架が一方向に沿って並んだ状態を示す図である。
【図２】図２は、図１を背面側から見た図である。
【図３】図３は、実施形態に係る光配線架を示す概略斜視図である。
【図４】図４は、実施形態に係る光配線架を示す背面図である。
【図５Ａ】図５Ａは、成端ユニットの正面側斜視図である。
【図５Ｂ】図５Ｂは、成端ユニットの背面側斜視図である。
【図６】図６は、成端ユニットの内部の一部を示す図である。
【図７】図７は、架部において最も下方に位置する成端ユニットを示す図である。
【図８】図８は、光配線収容部に光配線束の余長部分が収容されている状態を示す写真である。
【図９】図９は、クロスコネクト用光配線が敷設されている例を示す図である。
【図１０】図１０は、光配線ガイドの拡大斜視図である。
【図１１】図１１は、一部の光配線ガイドを拡大した図である。
【図１２】図１２は、一部の第１区分け部材を拡大した図である。
【図１３】図１３は、側板側から方向Ｙに沿って見た光配線収容部の模式図である。
【発明を実施するための形態】
【０００６】
［本開示が解決しようとする課題］
上記特許文献１に示されたような光配線盤には、外部装置等（例えば、サーバ）に接続される光ファイバコードの束（光配線束）の余長部分を収容するための部分（光配線収容部）が設けられることがある。この光配線収容部には、合計で数千本の光ファイバコードが収容されることがある。このため、メンテナンス時等に、光配線収容部内における所望の光ファイバコードを特定することは困難となっている。
【０００７】
そこで、多数の光配線の中から所望の光配線を容易に特定できる光配線架を提供することを目的とする。
【０００８】
［本開示の効果］
本開示によれば、多数の光配線の中から所望の光配線を容易に特定できる光配線架を提供できる。
【０００９】
［本願発明の実施形態の説明］
最初に本発明の実施形態の内容を列記して説明する。
【００１０】
本発明の一実施形態は、上下方向に沿って並んでいる複数の成端ユニットが載置される架部と、背板を有し、複数の成端ユニットのそれぞれに接続される複数の光配線束における余長部分が収容される光配線収容部と、光配線収容部内において上下方向に沿って並ぶように背板に取り付けられ、光配線収容部における光配線束の位置を区分けする複数の第１区分け体と、を備え、第１区分け体は、対応する光配線束を保持する保持部を有し、上下方向において下方に設けられる第１区分け体の保持部ほど、背板から離れるように位置している光配線架である。
【００１１】
この光配線架では、光配線収容部における光配線束の位置を区分けする複数の第１区分け体が、光配線収容部内において上下方向に沿って並ぶように背板に取り付けられている。加えて、上下方向において下方に設けられる第１区分け体の保持部ほど、背板から離れるように位置している。このため、光配線収容部に収容される各光配線束の余長部分の位置をずらすことができる。これにより、多数の光配線束の中から所望の光配線束を容易に選定でき、選定された光配線束から所望の光配線を容易に特定できる。加えて、光配線収容部内の光配線束同士が絡まることを防止できる。
【００１２】
保持部は、互いに離間する一対の区分け棒を有してもよい。
【００１３】
上記光配線架は、光配線収容部を挟んで架部の反対側に位置する側板と、光配線収容部内において上下方向に沿って並ぶように側板に取り付けられ、光配線収容部における光配線束の位置を区分けする複数の第２区分け体と、をさらに備え、第２区分け体は、第１区分け体に対して対向及び離間して設けられてもよい。この場合、第１区分け体及び第２区分け体を用いることによって、光配線収容部内において複数箇所にて光配線束を区分けできる。したがって、光配線収容部に収容される各光配線束の余長部分の位置を良好にずらすことができる。
【００１４】
上記光配線架は、光配線束を光配線収容部にガイドするように背板に取り付けられており、成端ユニットに対応するように上下方向に沿って並んでいる複数の光配線ガイドをさらに備え、光配線ガイドにおける光配線収容部側の先端は、対応する第１区分け体の保持部に連続してもよい。この場合、光配線収容部に導入される光配線束の位置を光配線ガイドによってガイドし、且つ、対応する保持部によってガイドされた光配線束の位置を定めることができる。したがって、各光配線束の余長部分の位置を良好にずらすことができる。
【００１５】
光配線ガイドは、その内部に収容される光配線束の動きを規制する規制部を有してもよい。光配線ガイドは、規制部を少なくとも２つ有してもよい。光配線ガイドは、光配線束が置かれる底部を有し、底部は、上方に向かって湾曲しており、底部の曲率半径は、光配線束内の光配線の許容曲げ半径よりも大きくてもよい。
【００１６】
上記光配線架は、側板の上端付近に設けられる区分け部材をさらに備え、区分け部材は、互いに離間して並ぶ複数の板状破片を有してもよい。
【００１７】
保持部のそれぞれは、上下方向において互いに重ならなくてもよい。
【００１８】
［本願発明の実施形態の詳細］
以下、添付図面を参照して、本発明の好適な実施形態について詳細に説明する。なお、以下の説明において、同一要素又は同一機能を有する要素には、同一符号を用いることとし、重複する説明は省略する。
【００１９】
図１は、本実施形態に係る光配線架が一方向に沿って並んだ状態を示す図であり、図２は、図１を背面側から見た図である。図３は、本実施形態に係る光配線架を示す概略斜視図であり、図４は、本実施形態に係る光配線架を示す背面図である。図１〜図４においては、全ての光ファイバケーブル（光配線）が省略されている。以下では、複数の光配線架１が並ぶ方向を方向Ｘ（左右方向）とし、水平方向において方向Ｘに直交する方向を方向Ｙ（前後方向）とし、方向Ｘ及び方向Ｙに直交する方向を方向Ｚ（上下方向）とする。
【００２０】
図１〜図４に示される光配線架１は、データセンター等において光ファイバケーブルを成端処理する際に用いられる装置であり、例えばFDF：Fiber  Distributing  Frameとも呼称される。光配線架１には、多心の光配線を引き留め、接続点を収容する成端ユニット２（詳細は後述する）が載置されている。光配線架１では、成端ユニット２に光接続される多心ケーブルが、複数の光配線に分割及び整線される。多心ケーブルは、数十本〜数百本の心線を有する光配線である。本実施形態では、多心ケーブルは、２８８本の心線を有する。
【００２１】
次に、光配線架１の具体的な構造について説明する。光配線架１は、台座となる下枠部１ａと、下枠部１ａから方向Ｚに沿って延びる一対の鉛直枠部１ｂ，１ｃと、鉛直枠部１ｂ，１ｃの頂面上に設けられる上枠部１ｄとから構成されており、枠状の外形を有している。光配線架１は、架部１１と、光配線収容部１２（第１光配線収容部）と、仕切り板１３と、側板１４と、複数のレール１５と、トレイ１６ａ，１６ｂと、複数の光配線ガイド１７と、複数の第１区分け部材１８と、第２区分け部材１９とを備えている。
【００２２】
架部１１は、方向Ｚに沿って並んでいる複数の成端ユニット２が載置される部分である。架部１１には、例えば図示しない複数の棚板が上下方向に沿って設けられており、各棚板上に成端ユニット２が載置される。
【００２３】
ここで、図５〜図７を用いて、成端ユニット２の機能及び構造について説明する。図５Ａは、成端ユニット２の正面側斜視図であり、図５Ｂは、成端ユニット２の背面側斜視図であり、図６は、成端ユニット２の内部の一部を示す図である。図７は、架部１１において最も下方に位置する成端ユニット２を示す図である。図５Ａ、図５Ｂ及び図６に示されるように、成端ユニット２は、略直方体形状を呈する本体部３と、本体部３の後側に設けられる第１外部接続部４と、第１外部接続部４を覆う蓋部５と、本体部３の前端に設けられる第２外部接続部６と、本体部３内に設けられるコネクタ付き光ファイバ心線８（融着用光配線）とを備えている。
【００２４】
第１外部接続部４は、例えば融着架等から延在する多心ケーブルが導入される部分であり、当該多心ケーブルが成端ユニット２に光接続される部分である。第１外部接続部４は、本体部３の後側に設けられ、光配線同士が融着された箇所を収容する融着トレイ４ａを有している。融着トレイ４ａ内では、ケーブル収容部７に収容される多心ケーブル７ｃの光ファイバ心線Ｃ１、及びケーブル収容部７に収容されていない多心ケーブル（以下、現地融着ケーブルと呼称する。）の光ファイバ心線Ｃ２のいずれか一方と、コネクタ付き光ファイバ心線８の一端とが、融着により光接続されている。本実施形態では、最も下方に位置する成端ユニット２以外の成端ユニット２には、入力用光配線として光ファイバ心線Ｃ１が第１外部接続部４内に導入されている。一方、最も下方に位置する成端ユニット２は、図７に示されるように、入力用光配線として現地融着ケーブル１３ｃの光ファイバ心線Ｃ２が第１外部接続部４内に導入されている。上記融着は、成端ユニット２が架部１１に載置された後に実施されてもよいし、成端ユニット２が架部１１に載置される前に実施されてもよい。本実施形態では、最も下方に位置する成端ユニット２においては、当該成端ユニット２が架部１１に載置された後に上記融着が実施される。
【００２５】
蓋部５は、第１外部接続部４を覆う蓋である。蓋部５は、着脱可能に本体部３に取り付けられている。
【００２６】
第２外部接続部６は、例えば、コネクタ付き光ファイバ心線８の他端と、外部装置等（例えば、サーバ）に接続される光配線Ｃ３の束（以下、光配線束Ｗｂと呼称する）とを光接続させる部分である。第２外部接続部６は、互いに積層された複数のアダプタ群２１と、各アダプタ群２１を区分けすると共に保護する複数のカバー２２とを備えている。各アダプタ群２１は、コネクタ付き光ファイバ心線８と、光配線Ｃ３とを光接続するための複数のアダプタ２３を有している。各アダプタ群２１に含まれる複数のアダプタ２３は、方向Ｘに沿って一列に並んでいる。各カバー２２は、対応するアダプタ群２１の下方に位置すると共に、当該アダプタ群２１と一体化している。各カバー２２は、前後方向に沿って引き出し可能に設けられている。このため、カバー２２の引き出しに連動して、対応するアダプタ群２１が引き出される。カバー２２は、各アダプタ２３において外側の接続端を保護するカバー部２４と、カバー部２４を支持する支持部２５，２６とを有している。カバー部２４は、支持部２５，２６に係止されて支持されている。カバー部２４の後端は、方向Ｘに沿って延びる軸を支点として回動可能になっている。このため、カバー部２４を引き出し、且つ、カバー部２４に対する支持部２５，２６の係止状態を解除することにより、当該カバー部２４を下方に回動させることができる。これにより、引き出されたアダプタ２３における外側の接続端の周辺に位置するカバー部２４を移動させることができるので、当該接続端に光配線Ｃ３を接続させやすくなる。本体部３の他側面側に設けられる支持部２６には、光配線束Ｗｂを所定の方向に誘導するガイド２６ａが設けられている。
【００２７】
第２外部接続部６には、光配線Ｃ３以外の光配線が光接続されてもよい。例えば、互いに異なる成端ユニット２同士を接続するための光配線（クロスコネクト用光配線）が光接続されてもよい。互いに異なる成端ユニット２の組み合わせは、１つの光配線架１に載置された異なる成端ユニット２の組み合わせでもよいし、ある光配線架１に載置された成端ユニット２と、他の光配線架１に載置された成端ユニット２との組み合わせでもよい。
【００２８】
ケーブル収容部７は、多心ケーブル７ｃが収容される領域であり、本体部３における支持部２６と反対側もしくは同じ側の側面に位置している。図３に示されるように、光配線収容部１２内での光配線束Ｗｂの配線作業性向上の観点から、多心ケーブル７ｃは、架部１１を挟んで光配線収容部１２の反対側に配置されてもよい。
【００２９】
コネクタ付き光ファイバ心線８は、単心の光ファイバケーブルの集合体である。コネクタ付き光ファイバ心線８の一端は、束ねられて融着トレイ４ａ内に収容されており、上述したように多心ケーブルに融着される部分である。コネクタ付き光ファイバ心線８の他端にはコネクタが設けられており、当該コネクタはアダプタ２３に接続されている。
【００３０】
図１〜図４に戻って、光配線収容部１２は、方向Ｘにおいて架部１１の隣に設けられており、成端ユニット２に接続される光配線束Ｗｂ（図６を参照）の余長部分が収容される部分である。光配線収容部１２では、複数の光配線束Ｗｂのそれぞれが、複数の第１区分け部材１８及び第２区分け部材１９によって区分けされている。図８は、光配線収容部１２に光配線束Ｗｂの余長部分が収容されている状態を示す写真である。図８に示されるように、光配線束Ｗｂの余長部分は、例えばＵ字形状を呈するように垂れた状態で収容される。
【００３１】
仕切り板１３は、方向Ｙにおいて光配線収容部１２と、後述する収容部Ｓとを仕切る板状部材である。仕切り板１３は、方向Ｘ及び方向Ｚに沿って延在しており、光配線収容部１２における背板として機能する。仕切り板１３は、例えば下枠部１ａ、鉛直枠部１ｂ、及び上枠部１ｄによって固定されている。仕切り板１３には、複数の開口１３ａと、複数の薄板１３ｂと、ケーブル収容部１３ｘとが設けられている。
【００３２】
複数の開口１３ａは、例えば光配線が仕切り板１３の表面（おもてめん）側から裏面側に向かう、もしくは当該光配線が仕切り板１３の裏面側から表面側に向かうために設けられている。複数の開口１３ａは、方向Ｚに沿って一列に並ぶように設けられている。複数の薄板１３ｂは、成端ユニット２の各アダプタ２３に接続される光配線束Ｗｂを支持する板状部材であり、仕切り板１３の表面に取り付けられている。各薄板１３ｂは、開口１３ａよりも架部１１側に設けられている。各薄板１３ｂ上には、対応する成端ユニット２のカバー２２における支持部２６が載置される。光配線束Ｗｂによるカバー２２の引き出しの阻害を防ぐ観点から、薄板１３ｂ上には、光配線束Ｗｂの余長部分が設けられてもよい。ケーブル収容部１３ｘは、現地融着ケーブル１３ｃを収容する領域であり、例えば現地融着ケーブル１３ｃは、固定部材１３ｄを介して仕切り板１３の裏面に取り付けられている。ケーブル収容部１３ｘは、方向Ｚに沿って延在する。ケーブル収容部１３ｘは、例えば上枠部１ｄに設けられた開口１ｅを介して、下枠部１ａ付近から上枠部１ｄを超えるように方向Ｚに沿って延在している。
【００３３】
側板１４は、方向Ｘにおいて光配線架１同士を仕切る板状部材である。側板１４は、方向Ｙ及び方向Ｚに沿って延在している。側板１４は、光配線収容部１２を挟んで架部１１の反対側に位置しており、下枠部１ａと、鉛直枠部１ｂもしくは仕切り板１３とに固定されている。
【００３４】
複数のレール１５は、仕切り板１３を挟んで光配線収容部１２の反対側（仕切り板１３の裏側）に位置すると共に、方向Ｙにおいて仕切り板１３に離間するように設けられており、仕切り板１３の裏側に敷設される光配線をガイドする部材である。複数のレール１５のそれぞれは、方向Ｘに沿って延在する略Ｕ字溝形状を呈している。各レール１５の一端は鉛直枠部１ｂの裏面に取り付けられており、各レール１５の他端は鉛直枠部１ｃの裏面に取り付けられている。このため、各レール１５は、仕切り板１３の裏側だけでなく、架部１１の裏側にも設けられている。加えて、レール１５の上記一端と上記他端とは、互いに連結可能な形状を有している。このため、光配線架１を方向Ｘに沿って並べた場合、隣り合う光配線架１のレール１５同士を連結できる。
【００３５】
レール１５は、方向Ｙにおいて、仕切り板１３だけでなくケーブル収容部１３ｘとも離間するように設けられている。このため、方向Ｙにおいて、ケーブル収容部１３ｘ内に配置される現地融着ケーブル１３ｃは、仕切り板１３とレール１５との間に設けられる。したがって、レール１５上に敷設される光配線と、ケーブル収容部１３ｘ内に配置される現地融着ケーブル１３ｃとの接触を好適に抑制できる。
【００３６】
レール１５は、方向Ｘに沿って延在している主部１５ａと、主部１５ａから分岐して延在している分岐部１５ｂと、主部１５ａの一部が分断している分断部１５ｃとを有している。分岐部１５ｂは、主部１５ａから対応する開口１３ａに向かって方向Ｙに沿って延在している部分である。分断部１５ｃは、方向Ｚに沿って一列に並ぶように、仕切り板１３を挟んで光配線収容部１２の裏側に設けられている。主部１５ａにおいて分断部１５ｃを形成する部分は、下枠部１ａに向かうように湾曲している。このような分断部１５ｃが形成されることにより、仕切り板１３の裏側に位置する光配線を、複数のレール上に敷設可能にすると共に、当該光配線の余長部分を設けることができる。換言すると、仕切り板１３を挟んだ光配線収容部１２の後側には、光配線束Ｗｂ内の光配線Ｃ３とは異なる光配線（例えば、クロスコネクト用光配線）の余長部分が収容される収容部Ｓ（第２光配線収容部）が設けられる。
【００３７】
トレイ１６ａ，１６ｂは、仕切り板１３の裏側に位置する光配線の余長部分を載せる部材であり、仕切り板１３の裏面に取り付けられている。トレイ１６ａは、方向Ｚにおいて最も下方に位置するレール１５の分断部１５ｃと、下枠部１ａとの間に設けられている。このため、トレイ１６ａには、分断部１５ｃにて設けられる光配線の余長部分が載置可能になっている。トレイ１６ｂは、方向Ｚにおいてケーブル収容部１３ｘの下方端と、下枠部１ａとの間に設けられている。このため、トレイ１６ｂには、ケーブル収容部１３ｘから成端ユニット２へ延在する現地融着ケーブル１３ｃの光ファイバ心線Ｃ２の余長部分が載置可能になっている。
【００３８】
図９は、クロスコネクト用光配線が敷設されている例を示す図である。図９に示される光配線架１において、方向Ｘにおいて最も端に位置する架を光配線架１Ａとし、光配線架１Ａに隣り合う架を光配線架１Ｂとする。図９には、レール１５上に敷設されるクロスコネクト用光配線Ｃ１１〜Ｃ１３が示されている。クロスコネクト用光配線Ｃ１１は、光配線架１Ａの異なる成端ユニット２同士を光接続している。具体的には、クロスコネクト用光配線Ｃ１１は、光配線架１Ａにおいて最も上方に位置する成端ユニット２の第２外部接続部６と、光配線架１Ａにおいて上から６番目に位置する成端ユニット２の第２外部接続部６とを光接続している。光配線架１Ａの収容部Ｓには、クロスコネクト用光配線Ｃ１１の余長部分が形成されている。クロスコネクト用光配線Ｃ１２，Ｃ１３は、光配線架１Ａに載置された成端ユニット２と、光配線架１Ｂに載置された成端ユニット２とを光接続している。具体的には、クロスコネクト用光配線Ｃ１２は、光配線架１Ａにおける上から２番目の成端ユニット２と、光配線架１Ｂにおける上から４番目の成端ユニット２とを光接続している。一方、クロスコネクト用光配線Ｃ１３は、光配線架１Ａにおける下から２番目の成端ユニット２と、光配線架１Ｂにおける下から４番目の成端ユニット２とを光接続している。光配線架１Ｂの収容部Ｓでは、クロスコネクト用光配線Ｃ１２の余長部分が形成されている。光配線架１Ａのトレイ１６ａ上には、クロスコネクト用光配線Ｃ１３の余長部分が載置されている。
【００３９】
図９のようにクロスコネクト用光配線Ｃ１１〜Ｃ１３が敷設される場合、光配線束Ｗｂの余長部分と、クロスコネクト用光配線Ｃ１１〜Ｃ１３の余長部分と、ケーブル収容部７に収容される多心ケーブル７ｃと、ケーブル収容部１３ｘに収容される現地融着ケーブル１３ｃとは、互いに接しないように配設される。
【００４０】
図１〜図４に戻って、複数の光配線ガイド１７は、成端ユニット２の第２外部接続部６に接続される光配線をガイドする部材であり、仕切り板１３における光配線収容部１２側の表面に取り付けられている。光配線ガイド１７は、成端ユニット２に対応するように方向Ｚに沿って並んでいる。ここで、図１０及び図１１を用いて、光配線ガイド１７の構造について説明する。図１０は、光配線ガイドの拡大斜視図であり、図１１は、一部の光配線ガイドを拡大した図である。図１０及び図１１に示されるように、光配線ガイド１７は、仕切り板１３の開口１３ａを通過する光配線（例えば、第２光配線であるクロスコネクト用光配線）を収容するガイド部３１（第２ガイド部）と、光配線収容部１２に向かう光配線Ｃ３（例えば、光配線束Ｗｂ）を収容するガイド部３２（第１ガイド部）と、光配線Ｃ３の方向Ｚにおける動きを規制する規制部３３，３４とを備えている。
【００４１】
ガイド部３１は、仕切り板１３における光配線収容部１２側の表面に取り付けられる部分である。より具体的には、ガイド部３１は、仕切り板１３において、対応する開口１３ａ近傍の表面に取り付けられる部分である。ガイド部３１は、仕切り板１３から突出する略Ｕ字溝形状を呈している．本実施形態では、ガイド部３１は、方向Ｙに沿って延在する略Ｕ字溝形状を呈している。ガイド部３１は、底部３１ａと、架部１１側に位置する側壁部３１ｂと、光配線収容部１２側に位置する側壁部３１ｃとを有している。ガイド部３１において側壁部３１ｂの少なくとも一部は、切り欠かれている。ガイド部３１において側壁部３１ｂが設けられない底部３１ａからは、方向Ｘに沿って架部１１側に延在するスロープ部３１ｄが設けられている。スロープ部３１ｄは、方向Ｘにおいて底部３１ａから架部１１に向かうにつれて下方に湾曲している。側壁部３１ｂにおける前方の端部には、第２光配線をガイド部３１へガイドするように湾曲した、光配線の位置を規制する湾曲板３１ｅが設けられている。湾曲板３１ｅは、方向Ｚから見て前方側に向かって湾曲した板状部材である。方向Ｚから見た湾曲板３１ｅの曲率半径は、例えばガイド部３１によってガイドされる光配線の許容曲げ半径よりも大きい。この場合、光配線における湾曲板３１ｅに当接する部分が許容曲げ半径を超えて屈曲し、破損することを防止できる。
【００４２】
各ガイド部３１の突出量は、一定ではなく、変化している。具体的には、方向Ｚにおいて下方に設けられる光配線ガイド１７ほど、ガイド部３１の突出量が大きくなっている。換言すると、方向Ｚにおいて下方に設けられる光配線ガイド１７ほど、ガイド部３１の方向Ｙにおける寸法が長くなっている。例えば、ガイド部３２が方向Ｚにおいて互いに重ならないように、各ガイド部３１の方向Ｙにおける寸法が調整されている。
【００４３】
ガイド部３２は、ガイド部３１の先端に設けられている部分であり、略Ｕ字溝形状を呈している。ガイド部３２は、ガイド部３１の突出方向に交差する方向に沿って延在している。本実施形態では、ガイド部３２は、方向Ｘに沿って延在している。ガイド部３２は、底部３２ａと、ガイド部３１側に位置する側壁部３２ｂ（壁部）と、底部３２ａを介して側壁部３２ｂの反対側に位置する側壁部３２ｃとを有している。底部３２ａは、方向Ｙから見て上方に向かって湾曲している。方向Ｙから見た底部３２ａの曲率半径は、例えば光配線束Ｗｂ内の光配線Ｃ３の許容曲げ半径よりも大きい。側壁部３２ｂは、ガイド部３１とガイド部３２とを仕切るように設けられている。具体的には、側壁部３２ｂは、底部３１ａ，３２ａを仕切るだけでなく、スロープ部３１ｄと底部３２ａとを仕切るように設けられている。側壁部３２ｂ，３２ｃは、底部３２ａの形状に沿って設けられており、互いに略同一形状である。側壁部３２ｂの架部１１側にはスリット３２ｄが設けられており、側壁部３２ｃの光配線収容部１２側にはスリット３２ｅが設けられている。同様に、側壁部３２ｃの架部１１側にはスリット３２ｆが設けられており、側壁部３２ｃの光配線収容部１２側にはスリット３２ｇが設けられている。スリット３２ｄ，３２ｆは、方向Ｙにおいて対向するように設けられ、スリット３２ｅ，３２ｇは、方向Ｙにおいて対向するように設けられている。
【００４４】
規制部３３，３４のそれぞれは、ガイド部３２に収容されている光配線束Ｗｂの方向Ｚにおける動きを規制する部材である。規制部３３は、スリット３２ｄ，３２ｆに収容されるように設けられており、略四角枠形状を呈している。規制部３３は、略Ｕ字形状を呈する本体部３３ａと、本体部３３ａの上端に取り付けられる棒状部材３３ｂとを有している。本体部３３ａは、方向Ｘから見て略Ｕ字形状を呈するように、スリット３２ｄ，３２ｆに収容されている。棒状部材３３ｂの一端は、本体部３３ａにおける一方の上端部に回動可能に取り付けられており、棒状部材３３ｂの他端は、本体部３３ａにおける他方の上端部に係止されている。例えば、棒状部材３３ｂの他端が本体部３３ａにおける他方の上端部に設けられた溝に挿入されることによって、規制部３３が枠形状を構成する。規制部３３は、ガイド部３２に固定されるための手段（例えば、爪部等）を有してもよい。規制部３４は、規制部３３と同様の機能及び形状を有しており、スリット３２ｅ，３２ｇに収容されている。このため、規制部３４は、略Ｕ字形状を呈する本体部３４ａと、本体部３４ａの上端に取り付けられる棒状部材３４ｂを有している。方向Ｚにおける光配線束Ｗｂの動きが規制されることにより、光配線束Ｗｂが方向Ｘ及び方向Ｙに沿うこととなり、その結果、ガイド部３２に沿う方向の光配線束Ｗｂの動きが規制される。
【００４５】
ここで、規制部３３の使用方法例を説明する。まず、規制部３３における本体部３３ａをスリット３２ｄ，３２ｆ内に収容する。次に、本体部３３ａの底部上に光配線束Ｗｂを収容する。このとき、棒状部材３３ｂの他端の本体部３３ａへの係止状態を解除しておくことによって、光配線束Ｗｂを本体部３３ａに容易に収容できる。次に、棒状部材３３ｂを本体部３３ａに係止する。これにより、光配線束Ｗｂが規制部３３により画成される空間内に収容され、当該光配線束Ｗｂの方向Ｚにおける動きを規制できる。規制部３４は、規制部３３と同様の手法にて用いればよい。
【００４６】
規制部は、１つでもよいが、少なくとも２つあってもよい。光配線束Ｗｂに光配線を追加する、或いは減らす場合、規制部を解放した際に既に収容されている光配線束Ｗｂが自重で移動して不測の応力がかからないように、光配線束Ｗｂを保持してもよい。このような場合に規制部が少なくとも２つあれば、一の規制部を解放しても他を解放しなければ引き続き光配線束Ｗｂは保持され続けることができる。例えば、規制部が２つある場合、一方の規制部を外して一部の光配線を一方の規制部から外した後に、当該一方の規制部を係止して光配線束Ｗｂを保持し、次いで他方の規制部を外して当該一部の光配線を他方の規制部から外すことで、当該一部の光配線を光配線束Ｗｂから分離することができる。一方、分離しようとする光配線を除く光配線束Ｗｂは係止された状態を保ち続けるため、不測の応力を加えずに済む。光配線を追加する際には、上記とは逆の手順で、一方の規制部を外し、追加すべき光配線も含めて光配線束Ｗｂを一方の規制部で係止した後、他方の規制部の係止を解除し、追加すべき光配線も含めて光配線束Ｗｂを他方の規制部で係止すればよい。
【００４７】
図１２は、一部の第１区分け部材を拡大した図である。図１３は、側板１４側から方向Ｙに沿って見た光配線収容部１２の模式図である。図８にも示されるように、図１２に示される各第１区分け部材１８は、光配線収容部１２内における光配線束Ｗｂの位置を区分けする部材である。複数の第１区分け部材１８は、光配線ガイド１７に対応するように、光配線収容部１２内にて方向Ｚに沿って並んで設けられている。図１３に示されるように、方向Ｚにおいて下方に設けられる第１区分け部材１８ほど、仕切り板１３から離れるように位置している。各第１区分け部材１８は、仕切り板１３の表面に取り付けられる第１区分け体４１と、側板１４に取り付けられる第２区分け体５１とを有している。
【００４８】
第１区分け体４１は、光配線収容部１２内に収容される光配線束Ｗｂにおいて、光配線ガイド１７から光配線収容部１２に導入される部分を区分けする部分である。第１区分け体４１は、例えば第１棒状部材４２及び第２棒状部材４３によって構成されている。第１棒状部材４２は、ねじ等の締結部材を介して仕切り板１３の表面に締結されるフランジ部４２ａと、方向Ｘにおいてフランジ部４２ａの側板１４側の端から方向Ｙに沿って延在する中間部４２ｂと、中間部４２ｂの前方先端から方向Ｙに交差すると共に側板１４に向かって延びる区分け棒４２ｃとを有している。フランジ部４２ａと、中間部４２ｂと、区分け棒４２ｃとは、例えば棒形状を呈する部材を屈曲することによって設けられる。フランジ部４２ａは、対応する光配線ガイド１７の下方に締結されている。方向Ｚにおいて下方に設けられる中間部４２ｂほど、方向Ｙに沿った寸法が長くなっている。このため、方向Ｚにおいて下方に設けられる区分け棒４２ｃほど、方向Ｙにおいて仕切り板１３から離れるように位置している。本実施形態では、区分け棒４２ｃは、方向Ｘに沿って延在している。
【００４９】
第２棒状部材４３は、中間部４２ｂに接合されるフランジ部４３ａと、フランジ部４３ａにおける区分け棒４２ｃ側の端から方向Ｙに交差する方向に延びる区分け棒４３ｂとを有している。フランジ部４３ａと区分け棒４３ｂとは、例えば棒形状を呈する部材を屈曲することによって設けられる。フランジ部４３ａは、例えば接着剤等を介して、中間部４２ｂの側板１４に対向する面に接合される。区分け棒４３ｂは、方向Ｙにおいて区分け棒４２ｃよりも仕切り板１３側に位置しており、方向Ｙにおいて区分け棒４２ｃに離間している。各第１区分け体４１において、方向Ｙにおける区分け棒４３ｂと区分け棒４２ｃとの離間距離は、略一定である。このため、方向Ｚにおいて下方に設けられる区分け棒４３ｂほど、方向Ｙにおいて仕切り板１３から離れるように位置している。
【００５０】
各第１区分け体４１は、互いに離間する一対の区分け棒４２ｃ，４３ｂによって構成され、対応する光配線束Ｗｂを保持する保持部４４を有している。方向Ｚにおいて下方に設けられる保持部４４ほど、方向Ｙにおいて仕切り板１３から離れるように位置している。各保持部４４は、方向Ｚにおいて互いに重ならなくてもよい。保持部４４は、対応する光配線ガイド１７のガイド部３２における光配線収容部１２側の先端に連続している。より具体的には、図１０に示されるように、区分け棒４２ｃは、側壁部３２ｃの光配線収容部１２側の先端に連続するように接触しており、区分け棒４３ｂは、側壁部３２ｂの光配線収容部１２側の先端に連続するように接触している。これにより、ガイド部３２と保持部４４とが一体的に構成されるので、ガイド部３２によってガイドされた光配線束Ｗｂは、光配線収容部１２内で第１区分け体４１によって容易に区分けされる。
【００５１】
第２区分け体５１は、光配線収容部１２内に収容される光配線束Ｗｂを区分けする部分であり、方向Ｘにおいて第１区分け体４１に対向及び離間して設けられる。第２区分け体５１は、例えば棒形状を呈する部材を略Ｕ字状に屈曲することによって設けられる。第２区分け体５１は、側板１４に接合される基部５１ａと、方向Ｙにおける基部５１ａの一端から第１区分け体４１に向かって延在する区分け棒５１ｂと、方向Ｙにおいて基部５１ａの他端から第１区分け体４１に向かって延在する区分け棒５１ｃとを有している。基部５１ａは、例えばねじ等を介して側板１４に固定されている。基部５１ａの固定位置は、対応する第１区分け体４１の方向Ｙにおける位置によって調整される。
【００５２】
一対の区分け棒５１ｂ，５１ｃは、方向Ｙにおいて互いに離間して設けられる棒状部分であり、保持部５２を構成する。区分け棒５１ｂは、方向Ｙにおいて区分け棒５１ｃよりも前方に位置している。区分け棒５１ｂは、方向Ｘにおいて、第１棒状部材４２の区分け棒４２ｃに対向及び離間して設けられる。区分け棒５１ｃは、方向Ｘにおいて、第２棒状部材４３の区分け棒４３ｂに対向及び離間して設けられる。区分け棒５１ｂは区分け棒４２ｃの延長線上に設けられ、区分け棒５１ｃは区分け棒４３ｂの延長線上に設けられてもよい。
【００５３】
第２区分け部材１９は、複数の光配線束Ｗｂのそれぞれにおいて、光配線収容部１２から外部に延在する部分を区分けする部材である。第２区分け部材１９は、方向Ｙに沿って互いに離間して並んでいる複数の板状破片から構成される。第２区分け部材１９は、側板１４の上端付近に設けられる。
【００５４】
以上に説明した本実施形態に係る光配線架１によれば、光配線収容部１２における光配線束Ｗｂの位置を区分けする複数の第１区分け体４１が、光配線収容部１２内において方向Ｚに沿って並ぶように仕切り板１３に取り付けられている。加えて、方向Ｚにおいて下方に設けられる第１区分け体４１の保持部４４ほど、仕切り板１３から離れるように位置している。このため、光配線収容部１２に収容される各光配線束Ｗｂの余長部分の位置をずらすことができる。これにより、多数の光配線束Ｗｂの中から所望の光配線束Ｗｂを容易に選定でき、選定された光配線束Ｗｂから所望の光配線Ｃ３を容易に特定できる。加えて、光配線収容部１２内の光配線束Ｗｂ同士が絡まることを防止できる。
【００５５】
光配線架１は、光配線収容部１２を挟んで架部１１の反対側に位置する側板１４と、光配線収容部１２内において方向Ｚに沿って並ぶように側板１４に取り付けられ、光配線収容部１２における光配線束Ｗｂの位置を区分けする複数の第２区分け体５１と、を備え、第２区分け体５１は、第１区分け体４１に対して対向及び離間して設けられている。このため、第１区分け体４１及び第２区分け体５１を用いることによって、光配線収容部１２内において複数箇所にて光配線束Ｗｂを区分けできる。したがって、光配線収容部１２に収容される各光配線束Ｗｂの余長部分の位置を良好にずらすことができる。加えて、第２区分け体５１が、第１区分け体４１に対して離間していることにより、第１区分け体４１と第２区分け体５１との間から光配線束Ｗｂを容易に取り出すことができる。
【００５６】
光配線架１は、光配線束Ｗｂを光配線収容部１２にガイドするように仕切り板１３に取り付けられており、成端ユニット２に対応するように方向Ｚに沿って並んでいる複数の光配線ガイド１７を備え、光配線ガイド１７における光配線収容部１２側の先端は、対応する第１区分け体４１の保持部４４に連続している。このため、光配線収容部１２に導入される光配線束Ｗｂの位置を光配線ガイド１７によってガイドし、且つ、対応する保持部４４によってガイドされた光配線束Ｗｂの位置を定めることができる。したがって、各光配線束Ｗｂの余長部分の位置を良好にずらすことができる。
【００５７】
本発明による光配線架は、上述した実施形態に限られるものではなく、他に様々な変形が可能である。例えば、上記実施形態では、架部１１において最も下方に位置する成端ユニット２が現地融着ケーブル１３ｃに光接続されているが、これに限られない。具体例としては、最も下方に位置する成端ユニット以外の成端ユニットが現地融着ケーブル１３ｃに光接続されてもよいし、全ての成端ユニット２が対応する光ファイバ心線Ｃ１に光接続されてもよい。
【００５８】
上記実施形態では、各薄板１３ｂは仕切り板１３に取り付けられているが、これに限られない。例えば、各薄板１３ｂは、成端ユニット２の本体部３における側面に設けられてもよい。
【００５９】
上記実施形態では、光配線ガイド１７に湾曲板３１ｅが設けられているが、これに限られない。例えば、湾曲板３１ｅは、仕切り板１３の表面に取り付けられてもよい。湾曲板３１ｅは、必ずしも設けられなくてもよい。例えば、一部の光配線ガイド１７は、湾曲板３１ｅを有さなくてもよい。
【００６０】
上記実施形態では、光配線ガイド１７の数と、第１区分け部材１８の数とは、互いに同一でもよいし、互いに異なってもよい。例えば、光配線ガイド１７の数は成端ユニット２の数と同一であり、第１区分け部材１８の数は成端ユニット２の数よりも少なくてもよい。
【００６１】
上記実施形態は、第１区分け部材１８は第１区分け体４１及び第２区分け体５１を有しているが、これに限られない。例えば、第１区分け部材１８は、第１区分け体４１及び第２区分け体５１の一方のみを有してもよい。
【００６２】
上記実施形態では、規制部３３，３４が設けられているが、これに限られない。例えば、規制部３３，３４のいずれか一方のみが設けられてもよい。もしくは、光配線ガイドには、規制部３３，３４以外の規制部が設けられてもよい。規制部３３，３４の形状は特に限定されない。例えば、規制部は、ガイド部３２における側壁部３２ｂ，３２ｃの一部であってもよい。
【符号の説明】
【００６３】
１…光配線架、１ａ…下枠部、１ｄ…上枠部、１ｅ…開口、２…成端ユニット、４…第１外部接続部、４ａ…融着トレイ、６…第２外部接続部、７…ケーブル収容部、７ｃ…多心ケーブル、８…コネクタ付き光ファイバ心線、１１…架部、１２…光配線収容部（第１光配線収容部）、１３…仕切り板、１３ａ…開口、１３ｂ…薄板、１３ｃ…現地融着ケーブル、１３ｘ…ケーブル収容部、１４…側板、１５…レール、１５ａ…主部、１５ｂ…分岐部、１５ｃ…分断部、１７…光配線ガイド、１８…第１区分け部材。１９…第２区分け部材、２１…アダプタ群、２２…カバー、３１…ガイド部、３１ａ…底部、３１ｂ，３１ｃ…側壁部、３１ｄ…スロープ部、３１ｅ…湾曲板、３２…ガイド部、３２ｂ，３２ｃ…側壁部（壁部）、３３，３４…規制部、４１…第１区分け体、４２…第１棒状部材、４２ｃ…区分け棒、４３…第２棒状部材、４３ｂ…区分け棒、４４…保持部、５１…第２区分け体、５１ｂ…区分け棒、５１ｃ…区分け棒、５２…保持部、Ｃ１…光ファイバ心線、Ｃ２…現地融着ケーブルの光ファイバ心線、Ｃ３…光配線、Ｃ１１〜Ｃ１３…クロスコネクト用光配線、Ｓ…収容部（第２光配線収容部）、Ｗｂ…光配線束。
【図１】
2018101218.tif 000003
【図２】
2018101218.tif 000004
【図３】
2018101218.tif 000005
【図４】
2018101218.tif 000006
【図５Ａ】
2018101218.tif 000007
【図５Ｂ】
2018101218.tif 000008
【図６】
2018101218.tif 000009
【図７】
2018101218.tif 000010
【図８】
2018101218.tif 000011
【図９】
2018101218.tif 000012
【図１０】
2018101218.tif 000013
【図１１】
2018101218.tif 000014
【図１２】
2018101218.tif 000015
【図１３】
2018101218.tif 000016
【国際調査報告】
2018101218.tif 000017
2018101218.tif 000018
2018101218.tif 000019
2018101218.tif 000020